(57)【要約】本発明は、３つの電子ビーム（６、７、８）を発生する電子銃（５）と、電子ビームのコンバーゼンスを動的に制御するコンバーゼンスユニット（１４）とを具えるカラー表示装置に関する。コンバーゼンスユニット（１４）は磁界を発生するコイル（２２）を具える。コイル（２２）には導電層が設けられている。
2004518361.tif 000002
【特許請求の範囲】
【請求項１】
３つの電子ビームを発生する電子銃と、
電子ビームを偏向面内で偏向させる偏向手段と、
磁界を発生させるコイルを有し、電子ビームのコンバーゼンスを動的に制御するコンバーゼンスユニットと
を具える陰極線管において、
前記コイルに導電層が設けられていることを特徴とする陰極線管。
【請求項２】
磁界を発生させるコイルを有し、電子ビームのコンバーゼンスを動的に制御するコンバーゼンスユニットにおいて、前記コイルに導電層が設けられていることを特徴とするコンバーゼンスユニット。
【発明の詳細な説明】
【０００１】
本発明は、３つの電子ビームを発生する電子銃と、電子ビームを偏向面内で偏向させる偏向手段と、磁界を発生させるコイルを有し、電子ビームのコンバーゼンスを動的に制御するコンバーゼンスユニットとを具える陰極線管に関するものである。本発明は、コンバーゼンスユニットにも関するものである。
【０００２】
国際公開パンフレットＷＯ００／７９５６０には、３つの電子ビームを発生するインライン型の電子銃と、偏向面で電子ビームを偏向させる偏向手段と、電子ビームのコンバーゼンスを動的に制御するコンバーゼンスユニットとを有するカラー表示装置が開示されている。コンバーゼンスユニットは、第１の４極磁界を発生する４つのコイルを有する第１のリング状素子、すなわち、第１の４極子コイルを具えている。この４極磁界は、偏向面内での電子ビーム間の距離を減少させ、従って、２つの外側電子ビームを互いの方向に偏向させる。第２の４極磁界を発生する第２の４極子コイルは、その後外側電子ビームを反対の方向に偏向させる作用をする。これらの４極子コイルは、互いにある距離隔てて配置されている。第１の４極子コイルは電子銃の付近に配置され、電子銃４極子コイルと称され、一方、第２の４極子コイルは偏向手段の付近に配置されている。
【０００３】
電子ビーム間の距離は動的に制御される。これにより、偏向面における電子ビーム間の距離を動的に変化させ、偏向量が増大するにつれこの距離が減少するようにしうる。この距離を偏向量の関数として動的に変化させることにより、これに応じて表示スクリーンとカラー選択電極との間の距離を適切な方向で増大させることができる。表示スクリーンの形状と、表示窓及びカラー選択電極間の距離とがカラー選択電極の形状、特に曲率を決定する。従って、カラー選択電極の曲率を増大させ、これによりドーミング及びマイクロホニックスのようなカラー選択電極の機械的特性に明白な効果を与えることができる。この方法によれば、外側の表示スクリーン面が実際に平坦で、内側の表示スクリーン面がある曲率を有する表示スクリーンを得ることができる。このような表示スクリーンの機械的及び光学的特性は良好となる。
【０００４】
このような表示装置の動作中、画像中の暗／明遷移後に縦方向の明／暗ラインの対がスクリーン上に生じるようになる。このようなラインは、スクリーン上に表示される画像を妨害し、不所望なものである。
【０００５】
本発明の目的は、明／暗のライン対により生ぜしめられる画像妨害を低減させることにある。この目的のために、本発明は、前記コイルに導電層が設けられていることを特徴とする。
【０００６】
本発明は、妨害となるラインの対はリンギングにより生ぜしめられるという認識を基に成したものである。リンギングは、第１のコイルが、この第１のコイルの付近に配置された第２のコイルの磁界により影響を受ける場合に生じる。表示装置の動作中、この不所望な妨害現象が表示スクリーン上に明／暗ラインの対として見える。第１の４極子コイルは、この第１の４極子コイルの付近に配置された走査速度変調（ＳＶＭ）コイルにより影響を受けるものと思われる。ＳＶＭコイルは、電子ビームの走査速度を変調し、これにより画像アーティファクトを抑圧する作用をする。ＳＶＭコイルは、箔コイルとして又はプラスチック担体上の銅巻線として構成でき、これは第１の４極子コイルの円筒状コイルホルダ内に入れられている。ＳＶＭコイルから生じる高周波（０．５〜５ＭＨｚ）信号が第１の４極子コイルに容量的に又は誘導的に影響を及ぼし、その結果、明／暗ラインの上述した対が生じ、リンギング変調が明瞭に見えるようになるおそれがある。
【０００７】
陰極線管のライン及びフレーム偏向コイルの対の場合のこれら偏向コイル間にリンギングが生じ、このリンギングは、表示スクリーンの一方のエッジにおける明及び暗の交互の垂直バーより成る徐々に衰退する幕として見うるようになるということは国際公開パンフレットＷＯ９９／６６５２６から既知である。この場合、接着層と称する外側層に導電性粒子を設けて成る導電性ワイヤをもって、これら偏向コイルを巻装することによりリンギングを抑圧しうる。ライン偏向コイルの形成中、接着層が互いに融着し、ライン偏向コイル内及び上に導電層が形成される。或いはまた、コイルに導電性材料の溶液を含浸させ、次にこの溶液を乾燥させることにより導電性粒子を被着させることができる。接着層中に粒子を入れた導電性ワイヤを用いたリンギング防止解決策は、コイルホルダの材料が溶液処理に必要とする高温度に耐えることができない為に、適用できない。コイルに導電溶液を含浸させる解決策の場合、含浸工程、清浄工程及び乾燥工程の追加の工程が必要となるという欠点がある。
【０００８】
本発明による４極子コイルの例では、標準の絶縁層の頂面上に導電性粒子を有して成る外側層を有する導電性ワイヤを適用する。この場合、導電性ワイヤは接着層を有さない。導電性粒子は炭素粒子を有するようにするのが有利である。
【０００９】
本発明の上述した目的及びその他の目的は以下の実施例に関する説明から明らかとなるであろう。
図面は実際のものに正比例して描いていない。同じ符号は同様な部品を示す。
図１に示す表示装置は、陰極線管、本例では、カラー表示管を具え、このカラー表示管は、表示窓２と、コーン部３と、ネック部４とを有する排気されたエンベロープ１を具えている。ネック部４は、１平面、この場合図面の平面であるインライン平面内に延在する３つの電子ビーム６、７及び８を発生させるインライン型の電子銃５を収容している。非偏向状態では、中央の電子ビーム７が管軸線９とほぼ一致する。
【００１０】
表示窓の内面には表示スクリーン１０が設けられている。この表示スクリーン１０は、赤、緑及び青で発光する多数の蛍光体素子を有する。電子ビームは、表示スクリーンまでの途中で、電磁偏向ユニット５１により表示スクリーンを横断する方向で偏向され、カラー選択電極１１を通過する。このカラー選択電極１１は表示窓２の前方に配置され、孔１２を有する薄肉プレートを具えている。３つの電子ビーム６、７及び８は互いに僅かな角度を成してカラー選択電極の孔１２を通過する為、各電子ビームが１色の蛍光体素子のみに衝突する。偏向ユニット５１は、コイルホルダ１３に加えて、電子ビームを２つの互いに垂直な方向に偏向させる偏向コイル１３´を有している。表示装置は更に、動作中フィードスルー（貫通端子）を介して電子銃の素子に与えられる電圧を発生する手段を有している。図１には、偏向面２０が線図的に示されており、この偏向面における電子ビーム６及び８間の距離をｐで示してある。
【００１１】
カラー表示装置は２つのコンバーゼンスユニット１４、１４´を有しており、第１のコンバーゼンスユニット１４は、動作中、外側の電子ビームを偏向の方向関数として互いの方向に動的に曲げるのに用いられ、第２のコンバーゼンスユニット１４´は外側の電子ビームを反対の方向に動的に曲げる作用をする。
【００１２】
これら２つのコンバーゼンスユニット１４、１４´は互いにある距離隔てて配置されており、距離ｐが少なくとも１つの方向で偏向の関数として減少するように、この距離ｐを偏向の関数として変化させるのに用いられる。第１のコンバーゼンスユニット１４は電子銃の近くに配置され、“電子銃４極子”と称され、第２のコンバーゼンスユニット１４´は偏向ユニットの近くに配置されている。
【００１３】
図２は電子銃４極子１４の一実施例を示し、この電子銃４極子は円筒状素子２１を有し、この円筒状素子の外側面２６には突出部２８が設けられ、これら突出部を囲んで４つのコイル２２がそれぞれワイヤの束となって巻かれている。ピン２７及び２９はそれぞれ、コイル巻装処理の開始位置及び終了位置であり、外側電極への接続ピンとしても用いられる。これにより得られた電子銃４極子１４は４つの同一のコイル２２を有するもので、各コイル２２は四分円内に位置し、円筒状素子２１の中心線２４を原点としたＸ‐Ｙ座標系のＸ軸方向に対して４５°の角度を有するラインに対し対象的に配置されている。本例では、動作中、双極子や６極子や８極子の磁界成分が殆どない電子銃４極子が形成されるという利点が得られる。
【００１４】
更に、角度αは、各コイル２２が６０°±５°の角度αに亙って延在するように選択した。この角度αはワイヤの束の中心から測定した。１２極磁界成分は存在しないことを測定により確かめた。
【００１５】
素子２１を円筒状にすることにより、電子銃の付近に電子銃４極子を容易に配置しうるようになる。走査速度変調（ＳＶＭ）コイルのような追加のコイル素子を入れるのにこの円筒状素子を用いることができるという他の利点がある。ＳＶＭコイルは、電子ビームの走査速度を変調する作用をし、これにより画像アーティファクトを抑圧する。この追加のコイルは、巻き取り箔の形態で円筒状素子内に収容することができる。
【００１６】
以上要するに、本発明は、３つの電子ビーム６、７、８を発生するインライン型電子銃５と、電子ビームのコンバーゼンスを動的に制御するコンバーゼンスユニット１４とを有するカラー表示装置に関するものである。コンバーゼンスユニット１４は、磁界を発生するコイル２２を有する。コイル２２には、リンギングを抑圧するための導電層が設けられている。
【００１７】
本発明は上述した実施例に限定されるものではなく、本発明の範囲内で種々に変更を加えうることに注意すべきである。
【図面の簡単な説明】
【図１】本発明を線図的に示している表示装置の断面図である。
【図２】本発明によるコンバーゼンスユニットの一実施例の斜視図である。
【国際公開パンフレット】
2004518361.tif 000003
2004518361.tif 000004
2004518361.tif 000005
2004518361.tif 000006
2004518361.tif 000007
2004518361.tif 000008
2004518361.tif 000009
2004518361.tif 000010
2004518361.tif 000011
【国際調査報告】
2004518361.tif 000012
2004518361.tif 000013
2004518361.tif 000014